【手続補正書】
【提出日】平成18年7月21日(2006.7.21)
【手続補正１】
【補正対象書類名】明細書
【補正対象項目名】特許請求の範囲
【補正方法】変更
【補正の内容】
【特許請求の範囲】
【請求項１】  ユーザ端末と、通信局と、ビーム源とを有するマルチビーム通信システムにおいて、上記ビーム源は複数のビームを投射し、上記ユーザ端末と上記通信局との間の通信リンクは、上記複数のビームの少なくとも１つについて達成され、呼ドロップ率を減少させるための方法は、
（１）  上記ユーザ端末において上記通信局から送信される複数のビーム識別子を受信する工程と、
（２）  上記ユーザ端末において上記複数のビーム識別子によって識別された各ビームのビーム強度を測定する工程と、
（３）  複数のビーム強度値を上記ユーザ端末から上記通信局に送信する工程であって、上記複数のビーム強度値の各々は、上記複数のビーム識別子の１つによって識別されたビームの測定されたビーム強度の関数である工程と、
を具備することを特徴とする呼ドロップ率減少方法。
【請求項２】  上記ユーザ端末において上記通信局によって送信されたハンドオフ指令メッセージを受信する工程をさらに具備し、上記ハンドオフ指令メッセージに基づいて、上記ユーザ端末は、上記通信局から送信される情報を受信するのにどのビームを用いるべきかを決定する請求項１に記載の方法。
【請求項３】  ハンドオフ完了メッセージを上記ユーザ端末から上記通信局に送信する工程をさらに具備し、上記ハンドオフ完了メッセージは上記ユーザ端末が、上記通信局から送信される情報を受信するのに用いられるべき上記ビームについて上記通信局によって送信される情報を受信していることを示す請求項２に記載の方法。
【請求項４】  上記ハンドオフ指令メッセージは、新たなアクティブビームセットにおける各ビームに対応するビーム識別子を具備し、上記新たなアクティブビームセットは、上記通信局と上記ユーザ端末との間の通信リンクとして用いるべき上記通信局によって選択されたビームを含む請求項２に記載の方法。
【請求項５】  上記ハンドオフ指令メッセージを受信したときに、上記ユーザ端末は、現在のアクティブビームセットにない上記新たなアクティブビームセットにおける各ビームを介してトラフィックの受信を開始し、上記現在のアクティブビームセットは上記通信局と上記ユーザ端末との間の通信リンクがすでに確立されるすべてのビームを含む請求項４に記載の方法。
【請求項６】  上記ユーザ端末が上記現在のアクティブビームセットにない上記新たなアクティブビームセットにおける各ビームを介してトラフィックの受信を開始した後、上記ユーザ端末から上記通信局にハンドオフ完了メッセージを送信する工程をさらに具備する請求項５に記載の方法。
【請求項７】  上記ハンドオフ指令メッセージは、現在のアクティブビームセットにない新たなアクティブビームセットにおける各ビームに対応するビーム識別子を具備し、上記現在のアクティブビームセットは、上記通信局と上記ユーザ端末との間の通信リンクがすでに確立されたすべてのビームを含み、上記新たなアクティブビームは、上記通信局と上記ユーザ端末との間の通信リンクとして用いられるべき上記通信局によって選択されたビームを含む請求項２に記載の方法。
【請求項８】  上記ハンドオフ指令メッセージを受信したときに、上記ユーザ端末は上記ハンドオフ指令メッセージにおけるビーム識別子によって識別されるビームについてトラフィックの受信を開始する請求項７に記載の方法。
【請求項９】  上記ユーザ端末から上記通信局へのハンドオフ完了メッセージを送信する工程をさらに具備する請求項８に記載の方法。
【請求項１０】  上記ハンドオフ指令メッセージは、新たなアクティブビームセットにない現在のアクティブビームセットにおける各ビームに対応するビーム識別子を具備し、上記新たなアクティブビームセットは、上記通信局と上記ユーザ端末との間の通信リンクとして用いるべき上記通信局によって選択されたビームを含み、上記現在のアクティブビームセットは、上記通信局と上記ユーザ端末との間の通信リンクがすでに確立されたすべてのビームを含む請求項２に記載の方法。
【請求項１１】  ユーザ端末と、通信局と、ビーム源とを有するマルチビーム通信システムにおいて、上記ビーム源は複数のビームを投射し、上記ユーザ端末と上記通信局との間の通信リンクは少なくとも１つのビームについて確立され、呼のドロップ率を減少させるための上記ユーザ端末内のシステムは、
（ａ）  上記通信局から送信された複数のビーム識別子を受信する手段であって、上記ビーム識別子は上記通信局によって現在使用されている複数のビームを識別する手段と、
（ｂ）  上記複数のビーム識別子によって識別された各ビームのビーム強度を測定する手段と、
（ｃ）  複数のビーム強度値を上記通信局に送信するための第１の送信手段であって、上記複数のビーム強度値の各々は上記複数のビーム識別子の１つによって識別されたビームの測定されたビーム強度の関数である第１の送信手段と、
を具備する呼ドロップ率減少システム。
【請求項１２】  上記通信局によって送信されたハンドオフ指令メッセージを受信するための受信手段と、上記ハンドオフ指令メッセージに基づいて上記通信局から送信された情報を受信するのにどのビームを用いるべきかを決定するための手段とをさらに具備する請求項１１に記載のシステム。
【請求項１３】  ハンドオフ完了メッセージを上記通信局に送信するための第２の送信手段をさらに具備し、上記ハンドオフ完了メッセージは、上記ユーザ端末が上記通信局から送信された情報を受信するのに用いるべき上記ビームについて上記通信局によって送信される情報を受信していることを示す請求項１２に記載のシステム。
【請求項１４】  上記ハンドオフ指令メッセージは新たなアクティブビームセットにおける各ビームに対応するビーム識別子を具備し、上記新たなアクティブビームセットは、上記通信局と上記ユーザ端末との間の通信リンクとして用いるべき通信局によって選択されるビームを含む請求項１２に記載のシステム。
【請求項１５】  上記ハンドオフ指令メッセージを受信したときに、上記ユーザ端末は、現在のアクティブビームセットにない上記新たなアクティブビームセットにおける各ビームを介してトラフィックの受信を開始し、上記現在のアクティブビームセットは上記通信局と上記ユーザ端末との間の通信リンクがすでに確立されたすべてのビームを含む請求項１４に記載のシステム。
【請求項１６】  上記ユーザ端末が上記現在のアクティブビームセットにない上記新たなアクティブビームセットにおける各ビームを介してトラフィックの受信を開始した後、ハンドオフ完了メッセージを上記通信局に送信するための第２の送信手段をさらに具備する請求項１５に記載のシステム。
【請求項１７】  上記ハンドオフ指令メッセージは現在のアクティブビームセットにない新たなアクティブビームセットにおける各ビームに対応するビーム識別子を具備し、上記現在のアクティブビームセットは上記通信局と上記ユーザ端末との間の通信リンクがすでに確立したすべてのビームを含み、上記新たなアクティブビームセットは上記通信局と上記ユーザ端末との間の通信リンクとして用いるべき通信局によって選択されるビームを含む請求項１２に記載のシステム。
【請求項１８】  上記ハンドオフ指令メッセージを受信したときに、上記ユーザ端末は上記ハンドオフ指令メッセージにおけるビーム識別子によって識別されるビームについてトラフィックの受信を開始する請求項１７に記載のシステム。
【請求項１９】  ハンドオフ完了メッセージを上記通信局に送信するための第２の送信手段をさらに具備する請求項１８に記載のシステム。
【請求項２０】  上記ハンドオフ指令メッセージは新たなアクティブセットにない現在のアクティブビームセットにおける各ビームに対応するビーム識別子を具備し、上記新たなアクティブビームセットは上記通信局と上記ユーザ端末との間の通信リンクとして用いるべき通信局によって選択されるビームを含み、上記現在のアクティブビームセットは、上記通信局と上記ユーザ端末との間の通信リンクがすでに確立したすべてのビームを含む請求項１２に記載のシステム。